(57)【要約】【課題】簡単な構成により、アクチュエータ係合時等に発生する衝撃等に対する機械的強度を向上させることができる安全スイッチを提供する。【解決手段】この安全スイッチ１では、操作部４が固定対象部材７に直接固定される。操作部４には、カム部材３を回転変位可能に支持する支持部１１ａから固定対象部材７に固定される固定部１１ｂにかけての部分が一体に形成された１対の保持部材１１が備えられ、操作部４と本体部５とが共締めされて固定対象部材７に固定される。また、キャップ部材６が、１対の保持部材１１における支持部１１ａが設けられた部分がカム部材３の軸方向に開くのを阻止する。【選択図】図３
2008016354.tif 000002
【特許請求の範囲】
【請求項１】
第１隔壁に設けられ、第１隔壁と第２隔壁とで出入口を開閉するのに伴って、第２隔壁に取り付けられたアクチュエータが抜き差しされることによりオン、オフする安全スイッチであって、
アクチュエータによって所定方向に変位される移動体と、
前記移動体を前記所定方向に変位可能に保持する操作部と、
前記アクチュエータによって変位される前記移動体によってオン、オフ駆動されるスイッチが設けられた本体部と、
を備え、
前記操作部が第１隔壁に固定されることを特徴とする安全スイッチ。
【請求項２】
請求項１に記載された安全スイッチにおいて、
前記操作部は、
前記移動体を前記所定方向に変位可能に支持する支持部から前記第１隔壁に固定される固定部にかけての部分が一体に形成された連続部材を備えることを特徴とする安全スイッチ。
【請求項３】
請求項２に記載の安全スイッチにおいて、
前記操作部の前記連続部材における前記固定部に第１の固定孔が設けられるとともに、前記本体部に第２の固定孔が設けられ、
前記操作部と前記本体部とが、前記第１の固定孔及び前記第２の固定孔に略棒状の固定具が通されることにより、共締めされて前記第１隔壁に固定されることを特徴とする安全スイッチ。
【請求項４】
請求項１に記載の安全スイッチにおいて、
前記移動体は、前記アクチュエータによって回転変位されるカム部材であり、
前記操作部は、前記カム部材をその軸方向に両側から挟み込むようにして支持する１対の保持部材を備え、
前記安全スイッチは、前記カム部材及び前記１対の保持部材を外囲するように装着されるキャップ部材をさらに備え、
前記保持部材は、前記カム部材を回転変位可能に支持する支持部と、前記第１隔壁に固定される固定部とを有するとともに、前記支持部から前記固定部にかけての部分が一体に形成されれており、
前記保持部材の前記固定部に第１の固定孔が設けられるとともに、前記本体部に第２の固定孔が設けられ、
前記操作部と前記本体部とが、前記第１の固定孔及び前記第２の固定孔に棒状の固定具が通されることにより、共締めされて前記第１隔壁に固定され、
前記キャップ部材は、前記１対の保持部材における前記支持部が設けられた部分が前記カム部材の前記軸方向に開くのを阻止することを特徴とする安全スイッチ。
【発明の詳細な説明】
【技術分野】
【０００１】
本発明は、安全スイッチに関する。
【背景技術】
【０００２】
従来の安全スイッチとして、特許文献１に記載のものがある。この安全スイッチでは、アクチュエータによって駆動される移動体（カム部材）を保持する操作部と、その移動体によってオン、オフ駆動されるスイッチを備える本体部とが設けられ、操作部が本体部にネジ等により固定されている。安全スイッチの固定は、本体部をネジ等により所定の固定対象部材に固定することによりなされている。このため、この安全スイッチでは、操作部は本体部を介して固定対象部材に固定されている。
【特許文献１】特開２００３−３３１６９６号公報
【発明の開示】
【発明が解決しようとする課題】
【０００３】
一般に安全スイッチは扉等によって開閉される出入口に設けられ、扉等の開閉に伴ってアクチュエータが安全スイッチの操作部内に抜き差しされることで、安全スイッチがオン、オフ動作するようになっている。このため、扉等が閉じられてアクチュエータが安全スイッチの操作部内のカム部材等に係合される際に、操作部に衝撃等が加わりやすい。また、ロック機構付の安全スイッチにあっては、扉等をロックした状態で無理に開けようとする際にも、操作部に衝撃等が加わってしまう。
【０００４】
しかしながら、前述の従来の安全スイッチでは、操作部が本体部を介して固定対象部材に固定される構成であるため、アクチュエータ係合時等に操作部に与えられた衝撃が、操作部と本体部との固定部を介して本体部に与えられ、本体部を介して固定対象部材に逃がされるようになっている。このため、その衝撃により操作部と本体部との固定部に負荷がかかりやすく、その固定部の強度が低下しやすい。また、操作部を本体部に固定するためのネジ等の固定具が必要であり、構造の複雑化、部品点数の増加、コスト高等を招いている。
【０００５】
そこで、本発明の解決すべき課題は、簡単な構成により、アクチュエータ係合時等に発生する衝撃等に対する機械的強度を向上させることができる安全スイッチを提供することである。
【課題を解決するための手段】
【０００６】
上記の課題を解決するため、請求項１の発明では、第１隔壁に設けられ、第１隔壁と第２隔壁とで出入口を開閉するのに伴って、第２隔壁に取り付けられたアクチュエータが抜き差しされることによりオン、オフする安全スイッチであって、アクチュエータによって所定方向に変位される移動体と、前記移動体を前記所定方向に変位可能に保持する操作部と、前記アクチュエータによって変位される前記移動体によってオン、オフ駆動されるスイッチが設けられた本体部とを備え、前記操作部が第１隔壁に固定される。
【０００７】
また、請求項２の発明では、請求項１に記載された安全スイッチにおいて、前記操作部は、前記移動体を前記所定方向に変位可能に支持する支持部から前記第１隔壁に固定される固定部にかけての部分が一体に形成された連続部材を備える。
【０００８】
また、請求項３の発明では、請求項２の発明に係る安全スイッチにおいて、前記操作部の前記連続部材における前記固定部に第１の固定孔が設けられるとともに、前記本体部に第２の固定孔が設けられ、前記操作部と前記本体部とが、前記第１の固定孔及び前記第２の固定孔に略棒状の固定具が通されることにより、共締めされて前記第１隔壁に固定される。
【０００９】
また、請求項４の発明では、請求項１の発明に係る安全スイッチにおいて、前記移動体は、前記アクチュエータによって回転変位されるカム部材であり、前記操作部は、前記カム部材をその軸方向に両側から挟み込むようにして支持する１対の保持部材を備え、前記安全スイッチは、前記カム部材及び前記１対の保持部材を外囲するように装着されるキャップ部材をさらに備え、前記保持部材は、前記カム部材を回転変位可能に支持する支持部と、前記第１隔壁に固定される固定部とを有するとともに、前記支持部から前記固定部にかけての部分が一体に形成されれており、前記保持部材の前記固定部に第１の固定孔が設けられるとともに、前記本体部に第２の固定孔が設けられ、前記操作部と前記本体部とが、前記第１の固定孔及び前記第２の固定孔に棒状の固定具が通されることにより、共締めされて前記第１隔壁に固定され、前記キャップ部材は、前記１対の保持部材における前記支持部が設けられた部分が前記カム部材の前記軸方向に開くのを阻止する。
【発明の効果】
【００１０】
請求項１に記載の発明によれば、アクチュエータ係合時等に衝撃を受ける操作部が第１隔壁に固定される構成のため、簡単な構成により、アクチュエータからの衝撃等に対する機械的強度を向上させ、操作部等の脱落等も防止でき、また小型化にも有利である。
【００１１】
請求項２に記載の発明によれば、操作部に、移動体を所定方向に変位可能に支持する支持部から第１隔壁に固定される固定部にかけての部分が一体に形成された連続部材が備えられているため、アクチュエータからの衝撃に対する機械的強度を効果的に向上させることができるとともに、操作部等の脱落も確実に防止できる。
【００１２】
請求項３に記載の発明によれば、操作部と本体部とが共締めされて第１隔壁に固定されるため、従来のように操作部と本体部とを固定するための専用の固定具等の固定構造を省略することができ、構造の簡単化、部品点数及び組み立て工数の削減が図れ、コスト削減が図れるとともに、小型化にも有利である。
【００１３】
請求項４に記載の発明によれば、操作部に、カム部材を回転変位可能に支持する支持部から第１隔壁に固定される固定部にかけての部分が一体に形成された１対の保持部材が備えられているため、アクチュエータからの衝撃に対する機械的強度を効果的に向上させることができるとともに、操作部等の脱落も確実に防止できる。
【００１４】
また、操作部と本体部とが共締めされて第１隔壁に固定されるため、従来のように操作部と本体部とを固定するための専用の固定具等の固定構造を省略することができ、構造の簡単化、部品点数及び組み立て工数の削減が図れ、コスト削減が図れるとともに、小型化にも有利である。
【００１５】
また、キャップ部材により１対の保持部材における支持部が設けられた部分がカム部材の軸方向に開くのを阻止するため、簡単な構成により、保持部材からのカム部材の脱落等を防止できる。
【発明を実施するための最良の形態】
【００１６】
図１は本発明の一実施形態に係る安全スイッチの分解斜視図であり、図２は図１の安全スイッチの側面図であり、図３は図２のＡ−Ａ線に沿った断面図であり、図４は図１の安全スイッチのカム部材周辺の断面図である。
【００１７】
この安全スイッチ１は、図１ないし図４に示すように、アクチュエータ２によって駆動される移動体としてのカム部材３と、カム部材３を保持する操作部４と、図示しないスイッチ等が設けられる本体部５と、キャップ部材６とを備えている。
【００１８】
操作部４には、カム部材３の支持及び操作部４の固定対象部材７への固定に寄与する１対の保持部材（連続部材）１１が備えられている。この保持部材１１は、カム部材３を両側から挟み込むようにして支持する支持部１１ａと、操作部４を固定対象部材７に固定するための固定部１１ｂとを有しいる。そして、この保持部材１１の支持部１１ａ及び固定部１１ｂを含む全体が金属等により略板状の形態に一体に形成されている。保持部材１１の作製は、金属板からのプレス加工、鋳造又は切削等により行われる。なお、保持部材１１を樹脂により一体に形成するようにしてもよい。
【００１９】
保持部材１１の支持部１１ａには、カム部材３に挿通された（又は設けられた）軸部材１２を支持する受け部（例えば、孔部）１３が設けられている。そして、この支持部１１ａにより、カム部材３が軸周りに回転変位可能な状態で支持されている。また、固定部１１ｂには、少なくとも１つ（例えば、２つ）の固定孔１４が設けられている。そして、この固定孔１４に固定用のネジ等の略棒状の固定具１５が挿通される。
【００２０】
本体部５には、樹脂又は金属により形成される筐体２１が備えられている。その筐体２１内には、カム部材３によってオン、オフ駆動される図示しないスイッチ、及び、カム部材３の回転変位をロックする図示しない電磁ロック機構が備えられている。より詳細には、図４を参照して、アクチュエータ２が、矢印Ｂで示されるように、キャップ部材６に設けられた開口部６ａを介して操作部４内に抜き差しされるのに伴って、アクチュエータ２の係合部２２の係合面２２ａ，２２ｂがカム部材３の係合面３ａ，３ｂに当接して係合し、カム部材３が軸周りに回転変位されるようになっている。そして、このカム部材３の回転変位に伴って、前記スイッチの軸部材２３がカム部材３のカム面３ｃにより出没変位され、これによって前記スイッチがオン、オフ動作するようになっている。また、アクチュエータ２が完全に差し込まれた際に、前記電磁ロック機構のロック部材２４がカム部材３の係止面３ｄに係合し、これによって、カム部材３のアクチュエータ２の引き抜き方向への回転（すなわち、扉の開放等）が止められるようになっている。この電磁ロック機構によるロック状態は、図示しない操作スイッチを操作すること等により解除される。なお、この電磁ロック機構は必須のものではなく省略可能である。以上のように、本実施形態では、操作部４は、カム部材３、保持部材１１及びキャップ部材６を含んで構成される。
【００２１】
また、本体部５の筐体２１には、本体部５を固定対象部材７に固定するための固定部２１ａが設けられている。この固定部２１ａには、少なくとも１つ（例えば、２つ）の固定孔（第２の固定孔）２５が設けられている。この固定孔２５と保持部材１１の固定孔１４とは互いに対応する位置に設けられており、共通の固定具１５が挿入されるようになっている。そして、操作部４の保持部材１１と筐体２１の固定部１１ａとが、保持部材１１の固定部１１ｂで筐体２１の固定部２１ａを両側から挟み込むようにして配置され、固定孔１４，２５に固定具１５が挿入されて締結される。これによって、操作部４と本体部５とが、固定具１５により共締めされた状態で固定対象部材７に固定される。
【００２２】
なお、保持部材１１と本体部５とを固定具１５により固定対象部材７に固定する前に、以下に記載する嵌合構造により保持部材１１が本体部５の筐体２１に仮止めされるよになっている。このように、操作部４と本体部５とを互いに仮止めした状態で安全スイッチ１の取り付け等が行えるため、安全スイッチ１の取り扱いや取り付け作業等が容易に行えるようになっている。
【００２３】
その嵌合構造として、例えば、保持部材１１の固定部１１ｂが、カム部材３の軸方向内方に略凸状になるように形成され、これに対応して、筐体２１の固定部２１ａが略凹状に形成されている。そして、固定部１１ｂを固定部２１ａに圧入するようにして嵌合させることにり、仮止めがなされるようになっている。また、保持部材１１の支持部１１ａの外縁部には、図１に示すように、係止片２６が略直角方向に曲げ起こされて設けられるとともに、筐体２１の対応する部分に、その嵌合片２６が圧入されて嵌合する嵌合凹部２７が設けられており、この嵌合片２６と嵌合凹部２７とが嵌合することによっても、仮止めがなされるようになっている。
【００２４】
また、キャップ部材６は、カム部材３及び操作部４の保持部材１１を外囲するような形態を有している。そして、キャップ部材６は、操作部４に装着された際に、保持部材１１における支持部１１ａが設けられた部分を外側から支持し、その部分がカム部材３の軸方向に開くのを阻止するようになっている。また、キャップ部材６には、アクチュエータ２を抜き差しするための開口部６ａが設けられている。キャップ部材６の固定は、キャップ部材６のネジ孔６ｂにネジ２８を通し、そのネジ２８を筐体２１のネジ孔２９にねじ込むこと等によって行われる。
【００２５】
図５は、安全スイッチ１の設置状態の一例を示す図である。この安全スイッチ１は、例えば図５に示すように、作業者の安全等を確保する必要のある保安領域の出入口３１等に設置されるようになっている。そして、出入口３１の扉３２の開閉に伴って、アクチュエータ２が安全スイッチ１の操作部４内に抜き差しされ、これに伴って、安全スイッチ１によって保安領域内の製造装置の電源ライン等がオン、オフされるようになっている。なお、図５の例では、安全スイッチ１を出入口３１の周辺にある固定対象部材７である壁部材（又は柱部材）３３に固定し、アクチュエータ２を取付具３４を介して扉３２に固定するようにしたが、逆にアクチュエータ２を壁部材（又は柱部材）３３側に固定し、安全スイッチ１を扉３２側に固定するようにしてもよい。ここで、壁部材３３及び扉３２の一方が第１隔壁に相当し、他方が第２隔壁に相当する。また、図５の例では、扉３２が矢印Ｃ方向にスライドして開閉するようにしたが、扉３２が回転（又は揺動）して開閉するようにしてもよい。以上のような設置状態の製造現場では、扉３２は非常に重い場合が多く、また作業者が必要以上の力で扉３２を開閉することも少なくないため、扉３２からの大きな荷重が小さなアクチュエータ２の先端に集約され、衝撃が安全スイッチ１に伝わりやすいので、本発明を特にこのような設置状態に適用することが有効である。
【００２６】
以上のように、本実施形態に係る安全スイッチ１によれば、アクチュエータ２係合時等に衝撃を受ける操作部４が固定対象部材７に直接固定される構成のため、簡単な構成により、アクチュエータ２係合時等の衝撃等に対する機械的強度を向上させ、操作部４等の固定対象部材７からの脱落等も防止でき、また小型化にも有利である。また、ロック機構付の安全スイッチにあったっては、扉３２等をロックした状態で無理に開けようとする際にも、操作部４に加わる衝撃等に対する機械的強度を向上させることができる。
【００２７】
また、操作部４に、カム部材３を回転変位可能に支持する支持部１１ａから固定対象部材７に固定される固定部１１ｂにかけての部分が一体に形成された１対の保持部材１１が備えられているため、アクチュエータ２係合時の衝撃等に対する機械的強度を効果的に向上させることができるとともに、操作部等の脱落も確実に防止でき、また小型化にも有利である。
【００２８】
また、操作部４と本体部５とが共締めされて固定対象部材７に固定されるため、従来のように操作部４と本体部５とを固定するための専用の固定具等の固定構造を省略することができ、構造の簡単化、部品点数及び組み立て工数の削減が図れ、コスト削減が図れるとともに、小型化にも有利である。
【００２９】
また、キャップ部材６により１対の保持部材１１における支持部１１ａが設けられた部分がカム部材３の軸方向に開くのを阻止するため、簡単な構成により、保持部材１１からのカム部材３の脱落等を防止できる。
【００３０】
また、図１に示すように、支持部１１ｂは、操作部４の本体部５側であって、操作部４とスイッチ１の本体部５との間に位置する細長い棒状の軸部材２３の両側の２つの空き領域（図１では固定孔１４）に設けられることが望ましい。この空き領域を利用することによって、安全スイッチ１のスリム化、小型化が図れ、さらに上記のように支持部１１ａから固定部１１ｂにかけての部分が一体的に形成された保持部材１１を適用することによって機械的強度を向上ささえることができる。あるいは、機械的強度をより向上させるために、固定具１５を可能な限り軸部材１２に近づけてアクチュエータ２からの衝撃を固定対象部材７へ逃がしやすくすればよい。例えば、軸部材１２の代わりに、カム部材４に回転自在に挿通され、保持部材１１、キャップ部材６に貫通して先端が固定対象部材７に固定されるネジ（固定具）を用いてもよい。
【００３１】
なお、前述の実施形態の安全スイッチ１における操作部４の保持部材１１の変形例として、図６に示すように、左右１対の保持部材１１を一体に形成するようにしてもよい。
【図面の簡単な説明】
【００３２】
【図１】本発明の一実施形態に係る安全スイッチの分解斜視図である。
【図２】図１の安全スイッチの側面図である。
【図３】図２のＡ−Ａ線に沿った断面図である。
【図４】図１の安全スイッチのカム部材周辺の断面図である。
【図５】図１の安全スイッチの設置状態の一例を示す図である。
【図６】図１の安全スイッチの変形例の断面図である。
【符号の説明】
【００３３】
１  安全スイッチ、２  アクチュエータ、３  カム部材、４  操作部、５  本体部、６  キャップ部材、７  固定対象部材、１１  保持部材、１１ａ  支持部、１１ｂ  固定部、１２  軸部材、１４  固定孔、１５  固定具、２１  筐体、２１ａ  固定部、２５  固定孔。
【図１】
2008016354.tif 000003
【図２】
2008016354.tif 000004
【図３】
2008016354.tif 000005
【図４】
2008016354.tif 000006
【図５】
2008016354.tif 000007
【図６】
2008016354.tif 000008